(57)【特許請求の範囲】
【請求項１】
マットレス本体と；
前記マットレス本体に接する接地可能な導電部材と；を備え、
前記導電部材は、前記マットレス本体にシーツが装着された状態で、前記マットレス本体のうち、前記シーツから露出し前記マットレス本体の長辺側の隅部近傍部分に固定される、
マットレス。
【請求項２】
前記マットレス本体は、クッション部材と、前記クッション部材を覆うとともに縫合部を有するカバーと、を有し、
前記導電部材は、前記縫合部において前記カバーに固定されている、
請求項１に記載のマットレス。
【請求項３】
互いに異なる場所で前記マットレス本体に接する複数の前記導電部材を備える、
請求項１又は請求項２に記載のマットレス。
【請求項４】
前記導電部材は、帯状の導電性エラストマである、
請求項１〜３の何れか一項に記載のマットレス。
【請求項５】
請求項１〜４の何れか一項に記載のマットレスと；
前記マットレスを支持する寝台装置本体と；
を備えている寝台装置。
【発明の詳細な説明】
【技術分野】
【０００１】
本発明は、マットレスおよび寝台装置に関する。
【背景技術】
【０００２】
シーツの交換時にシーツとマットレスとの摩擦により発生した静電気が放電し作業者に不快感を与えることがある。また、シーツ又はマットレスは、静電気を帯電すると埃を吸着して、衛生状態を悪化させることがある。特許文献１には、このような静電気を放電する放電部材を備えたベッド（寝台装置本体）が開示されている（例えば特許文献１）。
【先行技術文献】
【特許文献】
【０００３】
【特許文献１】登録実用新案第３００７４４３号公報
【発明の概要】
【発明が解決しようとする課題】
【０００４】
一般的に、医療又は介護現場で使用されるベッドは、昇降機構等の駆動部を備えるため複雑に組み合わされた複数の構成部品を有する。ベッドを介してマットレスの除電を行う場合には、各構成部材をアース配線して同電位とする必要が生じる。このため、静電気対策を施したベッドは、高価になってしまうという問題があった。
【０００５】
本発明は、上述の課題に鑑みてなされたものであって、マットレス又はシーツに発生した静電気を除電できるマットレスの提供を目的とする。
【課題を解決するための手段】
【０００６】
前記課題を解決するために、本発明は以下の手段を提案している。
（１）本発明の一態様に係るマットレスは、マットレス本体と；前記マットレス本体に接する接地可能な導電部材と；を備える。
【０００７】
上記態様に係るマットレスは、マットレス本体から直接的に、除電手段としての導電部材が延びる。このため、導電部材を接地することで、マットレス本体に帯電された静電気を直接的に除電できる。また、シーツに静電気が帯電されている場合には、マットレス本体を介して、静電気を除電することができる。
【０００８】
（２）上記（１）に記載のマットレスにおいて、前記マットレス本体は、クッション部材と、前記クッション部材を覆うとともに縫合部を有するカバーと、を有し、前記導電部材は、前記縫合部において前記カバーに固定されている、構成を採用してもよい。
【０００９】
この構成によれば、縫合により導電部材をマットレス本体に固定することができ、導電部材の固定の確実性を高めることができる。また、従来のマットレスの製造工程と同工程において、導電部材を固定することができるため、製造コストの増加を抑制できる。
【００１０】
（３）上記（１）又は（２）に記載のマットレスにおいて、前記導電部材は、前記マットレス本体にシーツが装着された状態で、前記マットレス本体のうち、前記シーツから露出する部分に固定される、構成を採用してもよい。
【００１１】
この構成によれば、導電部材を固定する固定部がシーツの折り込み作業を固定部が阻害しない。したがって、導電部材を設けた場合であっても、シーツの交換作業の容易性を高めることができる。
【００１２】
（４）上記（１）〜（３）の何れか一項に記載のマットレスにおいて、互いに異なる場所で前記マットレス本体に接する複数の前記導電部材を備える、構成を採用してもよい。
【００１３】
この構成によれば、複数の導電部材が互いに異なる場所でマットレス本体に接しているため、例えば、マットレスとアース線との配置に応じて、適当な導電部材を使用してアース線と接続すること等ができる。したがって、場所に依存することなく除電可能なマットレスを提供できる。
【００１４】
（５）上記（１）〜（４）の何れか一項に記載のマットレスにおいて、前記導電部材は、帯状の導電性エラストマである、構成を採用してもよい。
【００１５】
この構成によれば、導電部材が導電性エラストマであることで、金属製の場合と比較して、可撓性が高められて取り回しが容易となる。また、導電部材として導電性エラストマを採用することで、導電性の抵抗値を低くすることができるのみならず、丸洗い可能なマットレスを提供できる。さらに、導電部材を帯状とすることで、固定するための部位の面積を十分に確保することができ、固定の確実性を高めることができる。
【００１６】
（６）本発明の一態様に係る寝台装置は、上記（１）〜（５）の何れか一項に記載のマットレスと；前記マットレスを支持する寝台装置本体と；を備えている。
【００１７】
この構成によれば、寝台装置本体の構成に依存することなく静電気を除電できる寝台装置を提供できる。
【発明の効果】
【００１８】
本発明によれば、マットレス又はシーツに発生した静電気を除電できるマットレスを提供できる。
【図面の簡単な説明】
【００１９】
【図１】第１実施形態のマットレスを搭載した寝台装置の斜視図。
【図２】第１実施形態のマットレスの斜視図。
【図３】第１実施形態のマットレスの使用状態における断面図。
【図４】第２実施形態のマットレスの斜視図。
【図５】第２実施形態のマットレスの使用状態における断面図。
【発明を実施するための形態】
【００２０】
実施形態に係るマットレスについて、図面に基づいて以下に説明する。
なお、各図面は、特徴をわかりやすくするために、便宜上特徴となる部分を拡大して示している場合があり、各構成要素の寸法比率などが実際と同じであるとは限らない。
【００２１】
＜第１実施形態＞
（寝台装置）
図１は、第１実施形態の寝台装置８０の斜視図である。
本実施形態の寝台装置８０は、マットレス１０と、マットレス１０を上面６０ａで支持する寝台装置本体６０と、を備える。
【００２２】
寝台装置本体６０は、電力を動力源として寝台部６１を昇降可能とするいわゆる電動ベッドである。このような寝台装置本体６０は、例えば、医療環境下（介護環境下を含む）において利用される。
【００２３】
図１において、矢印Ｈは人（使用者）が寝る際に頭側となる向きを示し、また矢印Ｆは人が寝る際に足側となる向きを示している。以下の説明においては、矢印Ｈ、Ｆの方向である前後方向（第２方向）に対して直交する水平方向を左右方向（第１方向）と言う場合が有る。前後方向および左右方向は、何れも水平方向に沿う方向であるとともに、互いに直交する方向である。
【００２４】
寝台装置本体６０は、使用者（例えば患者、被介護者）を支持する寝台部６１と、４つの脚部７３を有するベース部７０と、寝台部６１とベース部７０との上下方向の間に位置し寝台を昇降させる昇降装置６５と、寝台装置本体６０の前後に配置されたボード６４と、を備える。寝台装置本体６０は、平面視矩形状を有している。寝台装置本体６０は、平面視した場合に左右方向よりも前後方向に長い。
【００２５】
寝台部６１は、複数のベッドボトム６３を有する。ベッドボトム６３の上面６０ａには、シーツ２０で覆われたマットレス１０が搭載される。ベッドボトム６３は、人体の各部位に応じて前後方向に複数並べられている。一部のベッドボトム６３には、左右方向両側の縁部において上側に突出するマットレス止め６３ａが設けられている。マットレス止め６３ａは、ベッドボトム６３に搭載されたマットレス１０が左右方向にずれることを抑制する。
昇降装置６５は、複数のリンク機構および駆動装置により構成されている。昇降装置６５は、ベース部７０に対して寝台部６１を昇降させる。
【００２６】
（マットレス）
図２は、本実施形態のマットレス１０の斜視図である。マットレス１０は、マットレス本体１と、マットレス本体１に固定された導電性帯体（導電部材、導電線）２と、を備える。導電性帯体２は、マットレス本体１の周縁部１ｃのうち、マットレス本体１の長辺側の隅部近傍に固定されており、短辺と平行に延び出る。
【００２７】
（マットレス本体）
マットレス本体１は、平面視矩形状を有する。マットレス本体１は、平面視した場合に左右方向よりも前後方向に長い。
マットレス本体１は、板状のクッション部材７と、クッション部材７を覆う布製のカバー８を有する。また、マットレス本体１は、使用者が横たわる側の面である上面１ａと、上面１ａの反対側を向く下面１ｂと、上面１ａと下面１ｂの間を繋ぎ鉛直方向に延びる周縁部１ｃと、を有する。
【００２８】
クッション部材７は、例えば硬さの異なる複数の素材を積層して構成されている。
カバー８は、クッション部材７の上面側を覆う上カバー布８ａと下面側を覆う下カバー布８ｂとを有する。上カバー布８ａおよび下カバー布８ｂは、それぞれ連続する一枚の布である。上カバー布８ａと下カバー布８ｂとは、マットレス本体１の周縁部１ｃに沿って形成された縫合部６において、縫い合わされて互いに結合されている。したがって、カバー８は、縫合部６を有する。
【００２９】
（導電性帯体）
導電性帯体２は、導電部材であり、接地可能である。ここでは、導電部材として可撓性および導電性を有する帯状の導電性帯体２を採用した場合を例示して説明する。しかしながら、導電部材は、接地可能であれば、その構成は限定されない。
【００３０】
導電性帯体（導電部材）２は、可撓性導電素材からなる。導電性帯体２は、アース線（基準電位点）への引き回しを容易とするために、可撓性素材からなることが好ましい。導電性帯体２の素材としては、導電性エラストマを採用することができる。導電性エラストマは、ゴムなどのエラストマ材料からなる基材に、導電性紛体（例えば黒鉛）を混入させることで製造できる。導電部材として導電性エラストマを採用することで、導電性の抵抗値を低くすることができる。加えて、導電部材として導電性エラストマを採用することで、丸洗い可能なマットレス１０を提供できる。また、導電部材は、樹脂織物からなる基材に、金属線などの導電性糸を織り込んだものであってもよい。
【００３１】
導電性帯体２は、マットレス本体１に接している。また、導電性帯体２は、長手方向の一端においてマットレス本体１に固定され、他端において接地されてマットレス本体１に帯電した静電気を放電する。接地方法としては、大地に接続され接地されたアース線又は除電マット３（図１参照）に導電性帯体２を電気的に接続することが好ましい。また、第値に繋がるアース線（又は除電マット３）への接続が困難な場合には、導電性帯体２を静電容量の大きな物質（例えば、近接する金属製の家具等）に接続することで、放電抑制の一定の効果を奏することができる。静電気の電圧は、静電容量に反比例する。したがって、静電容量を高めて静電気の電圧を下げることで、放電に至る電圧よりも静電気の電圧を下げて放電を抑制できる。また、導電性帯体２は、長手方向の一端において、寝台装置本体６０に取り付けられていてもよい。この場合、導電性帯体２は、導電性のクリップを介して、寝台装置本体６０のベッドボトム６３に固定されていてもよい。また、導電性帯体２は、寝台装置本体６０のベッドボトム６３の側部に設けられた固定部に巻き付けて固定されていてもよい。
【００３２】
本実施形態によれば、導電性帯体２は、縫合部６において上カバー布８ａおよび下カバー布８ｂとともに縫合されて、カバー８に固定されている。これにより、導電性帯体２は、マットレス本体１の表面（すなわち、カバー８）と十分に接触し、マットレス本体１に帯電した静電気をアースに導くことができる。
【００３３】
また、本実施形態によれば、導電性帯体２が縫合して接続されていることで、導電性帯体２の固定の確実性を高めることができる。さらに、従来のマットレスの製造工程と同工程において、導電性帯体をマットレス本体１に固定でき、従来と比較した製造コストの増加を抑制できる。なお、本実施形態の導電性帯体２は、帯状であるために、縫合部６において十分な長さでの縫合が可能である。
【００３４】
（製造方法）
本実施形態のマットレス１０の製造方法の一例について説明する。
まず、所定の大きさに裁断した、上カバー布８ａ、下カバー布８ｂおよび導電性帯体を用意する。
次いで、上カバー布８ａと、下カバー布８ｂの間に、導電性帯体の端部を挟み込んで重ね合わせて、外形の周縁部を縫合したのちに裏返す。これにより、導電性帯体２を固定したカバー８が作製される。この状態で、カバー８は、袋形状を有する。カバー８の開口には、スライドファスナを設けてもよい。
次いで、クッション部材７をカバー８で覆い、カバー８の開口を閉じる。
以上の工程を経てマットレス１０を製造することができる。
【００３５】
（使用方法）
図３は、使用状態のマットレス１０の断面図である。図３に示すように、マットレス１０は、寝台装置本体６０の上面６０ａに搭載され、マットレス本体１をシーツ２０で覆った状態で使用される。
【００３６】
シーツ２０は、マットレス本体１を上側から覆い、外周端２０ａをマットレス本体１の下面１ｂと寝台装置本体６０の上面６０ａとの間に挟み込んで、マットレス本体１に対してずれないように保持される。すなわち、シーツ２０は、マットレス本体１の上面１ａと、周縁部１ｃと、下面１ｂの外縁近傍を覆う。また、マットレス本体１の下面１ｂは、シーツ２０の外周端２０ａより内側で露出している。
【００３７】
導電性帯体２は、シーツ２０の外周端２０ａとともに、マットレス本体１の下面１ｂに折り込まれる。さらに、導電性帯体２は、シーツ２０の外周端２０ａから折り返してシーツ２０の下側を通過し、マットレス本体１の縁から外側に延び出る。これにより、導電性帯体２は、マットレス本体１の下面１ｂにおいて、シーツ２０を上下から挟み込んだ状態となり、導電性帯体２とシーツ２０との接触面積が広く確保される。シーツ２０は、付着した汚れや経年劣化により表面に局所的な絶縁箇所が形成されている場合がある。本実施形態によれば、導電性帯体２とシーツ２０との接触面積を広く確保することで、シーツ２０に帯電した静電気を導電性帯体２により確実に導くことができる。
【００３８】
本実施形態によれば、帯電したマットレス本体１又はシーツ２０に導電性帯体２を直接的に接触させて静電気を除電できる。したがって、ベッド（寝台装置本体）を介して除電を行う従来技術と比較して、安価かつ確実性を高めた除電を実現できる。
【００３９】
＜第２実施形態＞
次に、第２実施形態のマットレス１１０について説明する。なお、上述の実施形態と同一態様の構成要素については、同一符号を付し、その説明を省略する。
【００４０】
図４は、第２実施形態のマットレス１１０の斜視図である。また、図５は、使用状態のマットレス１１０の断面図である。
マットレス１１０は、マットレス本体１０１と、マットレス本体１０１の周縁部１０１ｃから延び出る２つの導電性帯体（導電部材）１０２と、を備える。
【００４１】
導電性帯体１０２は、マットレス本体１０１に接している。また、導電性帯体１０２は、長手方向の一端においてマットレス本体１０１に固定され、他端において接地されてマットレス本体１０１に帯電した静電気を放電する。導電性帯体１０２は、上述の第１実施形態の導電性帯体２と同様の構成を有する。
【００４２】
２つの導電性帯体１０２は、マットレス本体１０１の平面視中央を中心として、互いに１８０°の回転対称に配置されている。したがって、マットレス１１０を搭載する寝台装置本体６０を、壁面に隣接して配置する場合に、マットレス１１０は左右方向何れか一方の縁から導電性帯体１０２を延び出させて、アース線と接続させることができる。なお、本実施形態のマットレス１１０は、２つの導電性帯体１０２を有するが、３つ以上有していてもよい。複数の導電性帯体１０２のうち、使用しないものは、マットレス本体１０１の下面１０１ｂで内側に折り込んでおけばよい。
【００４３】
マットレス本体１０１は、クッション部材７と、布製のカバー８と、下面１０１ｂにおいて２つの導電性帯体１０２の一端をそれぞれ固定する２つの固定部１０８と、を有する。
【００４４】
固定部１０８は、矩形状を有する。また、固定部１０８は、一面に接着層が形成された接着シートである。本実施形態の導電性帯体１０２は、帯状であるために、固定部１０８と十分な大きさの接着面積を確保することができ、固定の確実性を高めることができる。なお、固定部１０８の形状および構成は、本実施形態に限定されることはない。固定部１０８は、導電性帯体１０２とともに外縁をカバー８に縫い合わされた布であってもよい。
【００４５】
固定部１０８は、マットレス本体１０１の長辺１０１ｄから第１の距離ｄ１だけ内側に位置し、短辺１０１ｅから第２の距離ｄ２だけ内側に位置している。
本実施形態において、第１の距離ｄ１および第２の距離ｄ２は、マットレス本体１０１の下面１０１ｂにおけるシーツ２０の折り込み長さｗより長い。すなわち、導電性帯体２は、マットレス本体１０１のうち、シーツ２０から露出する部分に固定されている。なお、ここでは説明の容易さのため、長辺１０１ｄ側と短辺１０１ｅ側とで、シーツの折り込み長さｗは、等しいものとする。
【００４６】
図５に示すように、本実施形態の固定部１０８は、マットレス本体１０１を覆うシーツ２０の折り込みより内側に位置する。これにより、固定部１０８が、シーツ２０の折り込み作業を阻害しない。また、導電性帯体１０２が、上側の面で折り込まれたシーツ２０と直接接触して、導電性帯体１０２によりシーツ２０に帯電した静電気を除電できる。
【００４７】
また、固定部１０８の配置に関する他の例として、第１の距離ｄ１が折り込み長さｗより長く、かつ第２の距離ｄ２が折り込み長さより短くてもよい。この場合、短辺１０１ｅ側のシーツ２０の折り込みにおいて、作業者は、導電性帯体１０２の下側にシーツ２０を潜り込ませる。これにより、導電性帯体１０２は、上下からシーツ２０に挟まれた状態となり、導電性帯体１０２とシーツ２０との接触面積が広く確保される。したがって、シーツ２０に帯電した静電気を導電性帯体１０２により確実に導くことができる。
【００４８】
以上に、本発明の様々な実施形態を説明したが、各実施形態における各構成およびそれらの組み合わせ等は一例であり、本発明の趣旨から逸脱しない範囲内で、構成の付加、省略、置換およびその他の変更が可能である。また、本発明は実施形態によって限定されることはない。
例えば、上述の実施形態において、導電性帯体（導電部材）２、１０２は、マットレス本体１、１０１の長辺側に延び出ているが、短辺側に延び出ていてもよい。
また、上述の実施形態では、導電性帯体２、１０２がマットレス本体１、１０１に縫合又は接着により固定されている例について説明した。しかしながら、導電性帯体２、１０２は、マットレス本体１、１０１に接していれば、必ずしもマットレス本体に直接的に固定されていなくてもよい。例えば、第２実施形態のマットレス１１０において、導電性帯体１０２の一端に一体化された固定部１０８が、マットレス本体１０１に固定されることなく、マットレス本体１０１と寝台装置本体６０との間、又は、マットレス本体１０１とシーツ２０との間に挟み込まれていてもよい。
【符号の説明】
【００４９】
１，１０１    マットレス本体
１ｂ，１０１ｂ       下面
１ｃ，１０１ｃ       周縁部
２，１０２    導電性帯体（導電部材）
６     縫合部
７     クッション部材
８     カバー
１０，１１０  マットレス
２０   シーツ
６０   寝台装置本体
８０   寝台装置
１０８ 固定部
【図１】
0006715619.tif 000002
【図２】
0006715619.tif 000003
【図３】
0006715619.tif 000004
【図４】
0006715619.tif 000005
【図５】
0006715619.tif 000006